(57)【特許請求の範囲】
【請求項１】
底板と、底板の上方を覆うように配置された手で把握できる手掌把握部と、前記底板に取着された平面状の基板部と、前記基板部に清掃用の払拭体を接合させた清掃具であり、
前記手掌把握部の外表面は、前記手掌把握部を手で把握して押し引きする前後方向に関し前後略対称な形状を有し、前記手掌把握部の外表面は、前記前後方向に直交する左右方向に関し左右非対称な形状を有し、前記手掌把握部は前記前後方向に伸びるアーチ型部材を有し、前記手掌把握部は、前記アーチ型部材を含む本体部と、前記本体部に着脱自在に取着できる液体容器部を有し、取着された前記液体容器部の外表面は、前記手掌把握部の外表面の少なくとも一部を形成して、少なくとも前記アーチ型部材の外表面を除く前記手掌把握部の外表面の他の部分と外観上段差なく一体化し、
前記本体部は液体輸送手段を有し、前記液体輸送手段は、前記液体容器部に貯蔵された清掃用液体を前記払拭体まで輸送して前記払拭体に浸透させることを特徴とする清掃具。
【請求項２】
前記手掌把握部の外表面は、前記アーチ型部材を境に、手で把握した際、前記アーチ型部材の親指側に位置する親指側外表面と、他の四指側に位置する四指側外表面を有し、前記親指側外表面は前記アーチ型部材から落ちる崖状の急斜面であり、前記親指側外表面は前記四指側外表面の方に向かって凹んだ凹部を有し、
前記四指側外表面は四指側外表面上部と四指側外表面側部からなり、少なくとも前記四指側外表面上部は緩やかなドーム形状であり、親指と四指で前記手掌把握部の外表面を左右から確実に挟持して把握することができ、取着された前記液体容器部の外表面は、前記四指側外表面の少なくとも一部を形成して、少なくとも前記アーチ型部材の外表面を除く前記前記四指側外表面の他の部分と外観上段差なく一体化する請求項１に記載の清掃具。
【請求項３】
前記本体部は、前記液体輸送手段による前記清掃用液体の輸送を制御する輸送制御手段を有し、前記輸送制御手段は手指押圧部、連結部、噴射バルブを有し、前記底板は底板開口部を有し、前記基板部は基板開口部を有し、前記手指押圧部の押圧により前記連結部が押動して前記噴射バルブが開き、前記清掃用液体を前記払拭体に浸透させる請求項１又は２に記載の清掃具。
【請求項４】
前記手指押圧部は、前記本体部において前記アーチ型部材を境にして四指側に設けられ、前記手指押圧部の外表面は非押圧時において、前記四指側外表面上部の少なくとも一部を形成し、前記手掌把握部の外表面は、前後対称性に関して、前記手指押圧部と手指押圧部受部及びそれらと対称の位置にある部分を除いて前後略対称であり、前記四指側外表面上部は、前記手指押圧部の外表面及び前記手指押圧部受部の外表面を除いて緩やかなドーム形状である請求項３に記載の清掃具。
【請求項５】
前記手指押圧部は、前記本体部において前記アーチ型部材を境にして親指側に設けられ、前記手指押圧部の外表面は非押圧時において、前記親指側外表面の少なくとも一部を形成する請求項３に記載の清掃具。
【請求項６】
前記手指押圧部が前記凹部の下側に設けられた請求項５に記載の清掃具。
【請求項７】
前記輸送制御手段は弾性手段を有し、前記手指押圧部の押圧を解除したときは、前記弾性手段が前記手指押圧部と前記連結部を押動前の位置に復帰させ、前記噴射バルブが閉じ、前記清掃用液体の前記払拭体への輸送が止まる請求項３〜６のいずれかに記載の清掃具。
【請求項８】
前記液体輸送手段は輸送管を有し、前記液体容器部は、下部に液体出入口と係止部を有し、前記本体部は係止受部を有し、取着するときには、前記輸送管の一端を前記液体出入口に嵌合し、前記係止部を前記係止受部に係合して、前記液体容器部を前記本体部に係止す
る請求項１〜７のいずれかに記載の清掃具。
【請求項９】
前記払拭体がスポンジ体又は布体から選択される請求項１〜８のいずれかに記載の清掃具。
【請求項１０】
前記払拭体は前記基板に対し、着脱自在に接合されている請求項１〜９のいずれかに記載の清掃具。
【請求項１１】
前記払拭体は前記基板に対し、係止ファスナー、又は縫着により接合されている請求項１〜９のいずれかに記載の清掃具。
【発明の詳細な説明】
【技術分野】
【０００１】
本発明は、床面や壁面等の清掃面を片手で把持して清掃することができる清掃具であり、清掃用液体を貯蔵する液体容器部を有する清掃具に関する。
【背景技術】
【０００２】
片手で把持して清掃するための清掃具に関しては既に、複数の発明が開示されている。
【０００３】
図１２に示す清掃具は、特許文献１に開示された片手で把持するタイプのマウス型清掃具１０１Ａである。手掌で把持する部分であるグリップ部材１０４は、前後非対称な略凸楕円面形状の表面１０４ａを有する。表面１０４ａは左右対称なため、使用者が右手と左手のいずれの手でも把持できる。しかし、左右対称な略凸楕円面形状は、親指と他の四指の把持力の違いを反映したものではないので把持のし易さに難がある。該清掃具は、カーペットに絡まった毛髪等の繊維ゴミの除去には使用できても、床面をゴシゴシと擦って清掃する際に必要とされる把持力は確保できず、そのような用途の使用には適さない。
【０００４】
又、該清掃具はシートホルダー１０５に清掃用シート１０３を装着して使用するものであるが、該清掃用シートに清掃用液体を浸み込ませて使用することは想定されておらず、清掃用液体の液体貯蔵部も有していない。したがって、該清掃具によっては、床や壁を片手でゴシゴシと雑巾がけをする感覚で拭き掃除をすることはできない。
【０００５】
図１３に示す液体塗布器具は、特許文献２に開示された片手で把持するタイプの液体塗布器具である。該液体塗布器具は、液体塗布部２０３と容器部２０２が一体に形成されてなり、該容器部の側面に形成された一組の膨出部２１２を手で押すことで、該容器部に収容された液体が連結管２０８を通して該液体塗布部に供給されて該液体塗布部に浸透し、液体を床面等に塗布するものである。
【０００６】
該液体塗布器具は薄い厚みの変形可能な該容器部を有し、基本的に床面のワックス掛け等の目的で使用するものであって、力を入れて床面をごしごしと擦って清掃する用途には向かない。汚れを除去するために力を入れて手で該液体塗布器具を床面に押し付けて擦れば、該容器部の変形により、しばしば望むより多量の液体が該液体塗布部に浸透してしまうからである。清掃のために力を加えて擦ることと、該液体塗布部に液体供給を行うことは互いに独立して実行できるべきであるが、前者を行えば必ず後者が実行されてしまう。
【０００７】
更に、容器部２０２は液体塗布部２０３と一体に形成されているので、容器部２０２を取り外して洗浄したり液体補給することができず、メンテナンスが容易でない。
【０００８】
又、該液体塗布器具の手掌で把持する外表面の形状は左右対称であり、使用者が右手と左手のいずれの手でも把持できるが、親指と他の四指の把持力の違いを反映したものではないので把持のし易さに難がある。この難点を解消するため、該容器部の表面に左右一組の直線溝状の凹部を設けた実施例も記載されているが、凹部の深さは深くても数ミリで、指先が触れて引っ掛かる程度の浅いものである。該凹部により把持のしやすさは幾らか改善する。しかし、その改善の程度は、液体塗布の目的には適っても、力を加えてゴシゴシと擦って清掃する目的には全く十分ではない。
【０００９】
図１４に示す清掃具は、特許文献３に開示されたアイロン型の清掃具である。該清掃具３１０は、スプレー容器３２１とスプレーノズル３２１Ｃを有する剤吐出器３２０を清掃フレーム３１１に取り付け、該清掃フレームの剤透過底部３１２に清掃シート３３０を巻
きつけて使用する。該剤吐出器に手掌を当て、該清掃フレームの手握り部３１１Ｂを指先で把持して拭き掃除に用いる。該剤吐出器が大型であり、又、該剤吐出器の円筒形の外表面の形状は左右対称であって親指と他の四指の把持力の違いを考慮したものではないため、該清掃具は把持しにくく、ゴシゴシと拭き掃除する際に必要な、十分な把持力を加えることが難しい。
【００１０】
更に、スプレー機構が清掃フレームと一体化していないため、清掃用剤を該清掃シートにスプレーするためには、該手握り部を把持した片手を放してノズルヘッド３２１Ｂを押すか、或いはもう一方の手で該ノズルヘッドを押す必要がある。すなわち、スプレー機構を使用しようとすると、常に片手が空いた状態で拭き掃除を続けることができなくなる、という難点がある。
【００１１】
図１５に示す清掃装置は、特許文献４に開示された洗車ブラシ型の清掃装置である。該清掃装置は、内部に清掃用の液体剤が充填された取り外し可能な液体容器４０３を有している。該液体容器は、蛇腹形状の容器部材からなり、押えキャップ４０４が押圧されることにより撓み、該液体剤が下部から押し出される。
【００１２】
握り部４１４は柄の形状であって、清掃用のスポンジ４１５の直上に位置していないため、片手でゴシゴシと拭き掃除をする際、十分な圧力を被清掃面に加えることができない。又、該握り部は該押えキャップから離れた位置にあるので、液体剤の供給目的で押えキャップを押圧するためには、該握り部を把持した片手を一度放すか、他方の手で押圧しなければならない。すなわち、常に片手が空いた状態で清掃をしながら、薬液供給を行うことはできない。
【００１３】
図１６に示す清掃装置は、特許文献５に開示された旧式アイロン型の清掃装置である。該清掃装置は、本体に突設された把手５１５に取り外し可能な貯水手段５１６を有し、貯水手段５１６からの洗浄用水を加熱する加熱室２０と、加熱した洗浄用水を払拭手段５１２を介して噴射する噴砂水路５２２を備え、加熱した洗浄用水と払拭手段により汚れを拭き取るものである。
【００１４】
該把手は柄の形状であり、該払拭手段の直上にないから、片手で把持してゴシゴシと拭き掃除をする際に、十分に大きな圧力を被清掃面に加えることができない。又、加熱や噴射には通電が必要であり、清掃装置全体が大きく、構造も複雑で重量も大きいため、気軽に雑巾がけをする感覚で拭き掃除をすることのできる清掃装置ではない。
【先行技術文献】
【特許文献】
【００１５】
【特許文献１】特開２０１０−６９２３８号公報
【特許文献２】特開２００１−８７１９５号公報
【特許文献３】特開２００４−２４２７９９号公報
【特許文献４】特開平１０−９９２５２号公報
【特許文献５】特開２００２−２６３０４２号公報
【発明の概要】
【発明が解決しようとする課題】
【００１６】
上で見たように、特許文献１〜５の清掃具はいずれも、把持部表面の形状が左右対称であって、親指と他の４指の把持力の違いを考慮したものではないため、被清掃面に圧力を加えながら片手でゴシゴシと拭き掃除するのに必要な把持力を確保するのには適さない。
【００１７】
特許文献１の清掃具は払拭体に清掃用液体を浸透させることを想定していないため、濡
れ雑巾で拭き掃除をする感覚で清掃することができない。特許文献２の清掃具は、清掃用液体を貯蔵する液体容器部と液体輸送手段を有するが、液体容器部が変形可能で、変形と液体輸送が連動しているため、力を加えての拭き掃除には向かない。又、液体容器部が本体と一体化しているため、保守の容易性に難がある。
【００１８】
特許文献３の清掃具はスプレー機構を有するが、該機構は本体と一体化しておらず、手軽に拭き掃除をするには大型にすぎる。又、片手を常に空けた状態で拭き掃除をしながら、スプレー機構を作動させることはできない。特許文献４の清掃具は取り外し可能な変形する液体容器を有し、液体容器を押圧することで清掃用液体を押し出すことができるが、特許文献３の清掃具と同じく、片手を常に空けた状態で拭き掃除をしながら、清掃用液体の押し出しをすることはできない。
【００１９】
特許文献５の清掃具は把手部に液体容器部を有し、更に通電で駆動する加熱機構、噴霧機構を有する。該清掃具は大型かつ複雑で重量も大きく、手軽に拭き掃除をする感覚で使用できるものではない。又、把手が払拭体の直上にないため、被清掃面に大きな圧力を加えてゴシゴシと拭き掃除をする際の使用には難がある。
【００２０】
近年、若い世代を中心に、手軽に清掃と除菌ができる清掃具のニーズが高まっている。モップ型やウェットシート型の清掃具を使った拭き掃除が一般化しているが、こうした清掃具には「すぐ乾く」問題がある。一方、四つん這いになり雑巾を使って手でゴシゴシと拭き掃除をすることが必要な場面も多い。物をどかしながら拭き掃除をしたり、髪の毛やゴミを拾いながら拭き掃除をする際には、常に片手が空いていることが重要である。
【００２１】
本発明の目的は、その外表面が左右非対称な形状を有し、使用者の利き手が右手であっても左手であっても片手でしっかりと把持して、手で拭く感覚、ゴシゴシ拭く達成感を損なわずに床面や壁面等の被清掃面の清掃と除菌ができるマウス型の清掃具であって、着脱自在に取着できて保守も容易な液体容器部を有し、該液体容器部は取着時には本体部と外観上一体化し、拭き掃除をしながら清掃用液体を浸透させる機能を発揮させても常に片手が空く清掃具を提供することである。
【課題を解決するための手段】
【００２２】
本発明の第１の形態は、底板と、底板の上方を覆うように配置された手で把握できる手掌把握部と、前記底板に取着された平面状の基板部と、前記基板部に清掃用の払拭体を接合させた清掃具であり、前記手掌把握部の外表面は、前記手掌把握部を手で把握して押し引きする前後方向に関し前後略対称な形状を有し、前記手掌把握部の外表面は、前記前後方向に直交する左右方向に関し左右非対称な形状を有し、前記手掌把握部は前記前後方向に伸びるアーチ型部材を有し、前記手掌把握部は、前記アーチ型部材を含む本体部と、前記本体部に着脱自在に取着できる液体容器部を有し、取着された前記液体容器部の外表面は、前記手掌把握部の外表面の少なくとも一部を形成して、少なくとも前記アーチ型部材の外表面を除く前記手掌把握部の外表面の他の部分と外観上段差なく一体化し、前記本体部は液体輸送手段を有し、前記液体輸送手段は、前記液体容器部に貯蔵された清掃用液体を前記払拭体まで輸送して前記払拭体に浸透させることを特徴とする清掃具である。
【００２３】
本発明の第２の形態は、前記手掌把握部の外表面は、前記アーチ型部材を境に、手で把握した際、前記アーチ型部材の親指側に位置する親指側外表面と、他の四指側に位置する四指側外表面を有し、前記親指側外表面は前記アーチ型部材から落ちる崖状の急斜面であり、前記親指側外表面は前記四指側外表面の方に向かって凹んだ凹部を有し、前記四指側外表面は四指側外表面上部と四指側外表面側部からなり、少なくとも前記四指側外表面上部は緩やかなドーム形状であり、親指と他の四指で前記手掌把握部の外表面を左右から確実に挟持して把握することができ、取着された前記液体容器部の外表面は、前記四指側外
表面の少なくとも一部を形成して、少なくとも前記アーチ型部材の外表面を除く前記前記四指側外表面の他の部分と外観上段差なく一体化する清掃具である。
【００２４】
本発明の第３の形態は、前記本体部が前記液体輸送手段による前記清掃用液体の輸送を制御する輸送制御手段を有し、前記輸送制御手段は手指押圧部、連結部、噴射バルブを有し、前記底板は底板開口部を有し、前記基板部は基板開口部を有し、前記手指押圧部の押圧により前記連結部が押動して前記噴射バルブが開き、前記清掃用液体を前記払拭体に浸透させる清掃具である。
【００２５】
本発明の第４の形態は、前記手指押圧部が前記本体部において前記アーチ型部材を境にして四指側に設けられ、前記手指押圧部の外表面は非押圧時において、前記四指側外表面上部の少なくとも一部を形成し、前記手掌把握部の外表面は、前後対称性に関して、前記手指押圧部と手指押圧部受部及びそれらと対称の位置にある部分を除いて前後略対称であり、前記四指側外表面上部は、前記手指押圧部の外表面及び前記手指押圧部受部の外表面を除いて緩やかなドーム形状である清掃具である。
【００２６】
本発明の第５の形態は、前記手指押圧部が前記本体部において前記アーチ型部材を境にして親指側に設けられ、前記手指押圧部の外表面は非押圧時において、前記親指側外表面の少なくとも一部を形成する清掃具である。
【００２７】
本発明の第６の形態は、前記手指押圧部が前記凹部の下側に設けられた清掃具である。
【００２８】
本発明の第７の形態は、前記輸送制御手段が弾性手段を有し、前記手指押圧部の押圧を解除したときは、前記弾性手段が前記手指押圧部と前記連結部を押動前の位置に復帰させ、前記噴射バルブが閉じ、前記清掃用液体の前記払拭体への輸送が止まる清掃具である。
【００２９】
本発明の第８の形態は、前記液体輸送手段が輸送管を有し、前記液体容器部は下部に液体出入口と係止部を有し、前記本体部は係止受部を有し、取着するときには、前記輸送管の一端を前記液体出入口に嵌合し、前記係止部を前記係止受部に係合して、前記液体容器部を前記本体部に係止する清掃具である。
【００３０】
本発明の第９の形態は、前記払拭体がスポンジ体又は布体から選択される清掃具である。
【００３１】
本発明の第１０の形態は、前記払拭体が前記基板に対し、着脱自在に接合されている清掃具である。
【００３２】
本発明の第１１の形態は、前記払拭体が前記基板に対し、係止ファスナー、又は縫着により接合されている清掃具である。
【発明の効果】
【００３３】
本発明の第１の形態は、底板と、底板の上方を覆うように配置された手で把握できる手掌把握部と、前記底板に取着された平面状の基板部と、前記基板部に清掃用の払拭体を接合させた清掃具であり、前記手掌把握部の外表面は、左右非対称な形状を有し、親指と他の四指の把握力の違いを反映した形状となっているから、使用者が片手だけで前記手掌把握部を確実に把握することができる。
【００３４】
前記手掌把握部の外表面は左右非対称であるけれども、前後略対称な形状であるから、使用者の利き手の左右によらず、必要ならば平面上で１８０度回転することにより、自分の利き手である左右いずれかの片手だけで、前記手掌把握部を確実に把握することができ
る。
【００３５】
前記手掌把握部は前後方向に伸びるアーチ型部材を有するから、大きな構造的強度を有し、ゴシゴシと拭き掃除をする際に前記手掌把握部に対して手で被清掃面の方向に大きな力を加えても、該清掃具が損傷することがない。
【００３６】
前記手掌把握部は、前記アーチ型部材を含む本体部と、前記本体部に着脱自在に取着できる液体容器部を有するから、該液体容器部を取り外して清掃用液体を補充したり、該液体容器部の内部を洗浄することができ、メンテナンスが容易である。
【００３７】
取着された前記液体容器部の外表面は、前記手掌把握部の外表面の少なくとも一部を形成して、少なくとも前記アーチ型部材の外表面を除く前記手掌把握部の外表面の他の部分と外観上段差なく一体化しているから、手掌で把握しやすく、又、髪の毛や埃などの異物が隙間から入り込むことがないのでメンテナンスが容易である。
【００３８】
前記本体部は液体輸送手段を有し、前記液体輸送手段は、前記液体容器部に貯蔵された清掃用液体を払拭体まで輸送して払拭体に浸透させるから、払拭体がすぐに乾くために、拭き掃除を中断して払拭体を取り替えたり、外部に別に用意した清掃用液体を払拭体に浸透させたりする必要がない。
【００３９】
手掌で把握する部分である前記アーチ型部材、前記液体容器部、及び前記本体部の本体側面部材は、アクリル樹脂等の一定の硬度と強度を有する素材で形成されているので、手掌で把握して圧力を加えながら前記払拭体により被清掃面を清掃しても変形や破損をきたすことなく、濡れ雑巾でゴシゴシと拭き掃除をする感覚で清掃を行うことができる。
【００４０】
本発明の第２の形態においては、前記手掌把握部の外表面が、前記アーチ型部材を境に、手で把握した際、前記アーチ型部材の親指側に位置する親指側外表面と、他の四指側に位置する四指側外表面を有し、前記親指側外表面は前記アーチ型部材から落ちる崖状の急斜面であり、前記親指側外表面は前記四指側外表面の方に向かって凹んだ凹部を有し、前記四指側外表面は四指側外表面上部と四指側外表面側部からなり、少なくとも前記四指側外表面上部は緩やかなドーム形状であり、前記手掌把握部の外表面が把持する手掌に適合した形状を有しているから、該凹部に親指をはめこむようにあてがい、該四指側外表面を他の四指で覆握して、前記手掌把握部の外表面を左右から確実に挟持して把握することができる。
【００４１】
取着された前記液体容器部の外表面は、前記四指側外表面の少なくとも一部を形成して、少なくとも前記アーチ型部材の外表面を除く前記前記四指側外表面の他の部分と外観上段差なく一体化しているから、手掌で把握しやすく、又、髪の毛や埃などの異物が隙間から入り込むことがないのでメンテナンスが容易である。
【００４２】
本発明の第３の形態においては、前記本体部が前記液体輸送手段による前記清掃用液体の輸送を制御する輸送制御手段を有するから、必要なときに清掃用液体を払拭体に浸透させることができ、いわゆる「すぐ乾く」問題に悩まされることがない。
【００４３】
前記輸送制御手段は手指押圧部、連結部、噴射バルブを有し、前記底板は底板開口部を有し、前記基板部は基板開口部を有し、前記手指押圧部の押圧により前記連結部が押動して前記噴射バルブが開き、前記清掃用液体を前記払拭体に浸透させるから、通電によらず、シンプルな力学的メカニズムにより手動で前記清掃用液体を前記払拭体に浸透させることができる。
【００４４】
前記手指押圧部は前記本体部に存在するから、前記手掌把握部を把持した手指を大きく移動させることなく、前記手指押圧部を該手指で押圧して、前記清掃用液体を前記払拭体に浸透させることができる。
【００４５】
本発明の第４の形態においては、前記手指押圧部が前記本体部において前記アーチ型部材を境にして他の四指側に設けられ、前記手指押圧部の外表面は非押圧時において、前記四指側外表面上部の少なくとも一部を形成するから、前記手掌把握部を把持した片手を放すことなく被清掃面の拭き掃除を続けながら、該片手の他の４指のいずれか、例えば人差し指で前記手指押圧部を押圧して、前記払拭体に清掃用液体を浸透させることができる。したがって、例えば右手で前記手掌把握部を把持しているならば、右手の四指のいずれかだけで清掃用液体の浸透操作を行うことができ、該浸透操作を行っても左手は常に空いた状態で清掃を続けることができる。
【００４６】
前記手掌把握部の外表面は、前後対称性に関して、前記手指押圧部と手指押圧部受部及びそれらと対称の位置にある部分を除いて前後略対称であるので、使用者の利き手の左右によらず、必要ならば平面上で１８０度回転することにより、自分の利き手である左右いずれかの片手だけで、前記手掌把握部を確実に把握することができる。
【００４７】
前記四指側外表面上部は、前記手指押圧部の外表面及び前記手指押圧部受部の外表面を除いて緩やかなドーム形状であるので、四指側外表面を他の四指で覆握して、前記手掌把握部の外表面を親指と他の四指により左右から確実に挟持して把握することができる。
【００４８】
本発明の第５の形態においては、前記手指押圧部が前記本体部において前記アーチ型部材を境にして親指側に設けられ、前記手指押圧部の外表面は非押圧時において、前記親指側外表面の少なくとも一部を形成するから、前記手掌把握部を把持した片手を放すことなく被清掃面の拭き掃除を続けながら、該片手の親指で前記手指押圧部を押圧して、前記払拭体に清掃用液体を浸透させることができる。したがって、例えば右手で前記手掌把握部を把持しているならば、右手の親指だけで清掃用液体の浸透操作を行うことができ、該浸透操作を行っても左手は常に空いた状態で清掃を続けることができる。
【００４９】
前記手指押圧部は、前記親指側外表面の前記凹部の上側に設けても下側に設けてもよい。いずれであっても、前記手指押圧部は前記凹部の近傍に設けられる。前記手掌把握部を把持した片手の親指は前記凹部にはめこむようにあてがわれているから、該親指を少し動かすだけで、前記手指押圧部を押圧して、前記払拭体に清掃用液体を浸透させることができる。
【００５０】
本発明の第６の形態においては、前記手指押圧部が前記凹部の下側に設けられているから、前記手掌把握部を把持した片手の親指を下側へ少し動かすだけで、前記手指押圧部を押圧して、前記払拭体に清掃用液体を浸透させることができる。
【００５１】
本発明の第７の形態においては、前記輸送制御手段が弾性手段を有し、前記手指押圧部の押圧を解除したときは、前記弾性手段が前記手指押圧部と前記連結部を押動前の位置に復帰させ、前記噴射バルブが閉じ、前記清掃用液体の前記払拭体への輸送が止まるから、前記清掃用液体を前記払拭体に浸透させる必要のないときには、単に前記手指押圧部を押圧しなければ、該浸透を停止させることができる。
【００５２】
本発明の第８の形態は、前記液体輸送手段が輸送管を有し、前記液体容器部は下部に液体出入口と係止部を有し、前記本体部は係止受部を有し、取着するときには、前記輸送管の一端を前記液体出入口に嵌合し、前記係止部を前記係止受部に係合して、前記液体容器部を前記本体部に係止する清掃具であるから、前記液体出入口と前記輸送管の一端が、液
体を出入りさせる役割と、前記本体部に前記液体容器部を着脱自在に取着する際の係止用部材の役割を兼ねており、大きな内容積を有する該液体容器部をワンタッチで前記本体部に取着し、コンパクトに前記本体部に収容して、片手で把持することが可能な前記手掌把握部の外表面を形成することができる。
【００５３】
前記液体出入口は清掃用液体の出口と入口を兼ねている。すなわち、本体部に取着した際には清掃用液体を前記輸送管へと送り出す液体出口となり、本体部から分離した際には清掃用液体を補給注入する液体入口となる。入口と出口を兼用することで、前記液体容器部の内容積を大きく確保しながら、前記液体容器部の下面部の構造を単純化し、前記液体容器部を前記本体部にコンパクトに取着・収容し、片手で把持可能な前記手掌把握部の外表面を形成することができる。
【００５４】
本発明の第９の形態は、前記払拭体がスポンジ体又は布体から選択される清掃具であるから、被清掃面の形状や種類若しくは状態に合わせて、拭き掃除に最適な払拭体を選択することができる。例えば、凹凸のある面の清掃にはスポンジ体を、平坦で滑らかな面の清掃には布体を選択することができる。
【００５５】
本発明の第１０の形態は、前記払拭体が前記基板に対し、着脱自在に接合されている清掃具であるから、使用により払拭体が汚れても容易に払拭体を交換したり、払拭体を洗浄して再利用することができ、清掃具と払拭体のメンテナンスをし易い。
【００５６】
本発明の第１１の形態においては、前記払拭体が前記基板に対し、係止ファスナーで接合されているか、或いは縫着により接合されている。前者の場合には、前記払拭体を前記基板に着脱自在に取着でき、払拭体の交換や洗浄等のメンテナンスが容易である。後者の場合には、払拭体が前記基板に縫着固定されて横ずれしないから、被清掃面に大きな圧力を加えながらの拭き掃除が可能となる。
本発明は、前記払拭体としてスポンジ体、布体の他に、例えば、パイルモップ、払拭紙、ブラシ体のいずれかを用いた清掃具に適用することもできる。
【図面の簡単な説明】
【００５７】
【図１】図１は本発明の一実施形態に係る清掃具１の鉛直断面模式図である。
【図２】図２は本発明の別の一実施形態に係る清掃具１の鉛直断面模式図である。
【図３】図３は、図２の清掃具１において液体容器部８を本体部６に着脱する方法を説明する分解斜視図である。
【図４】図４は、払拭体２として布体２０を用いた本発明の一実施形態に係る清掃具１の分解斜視図である。
【図５】図５は、払拭体２としてスポンジ体２１を用いた本発明の一実施形態に係る清掃具１の分解斜視図である。
【図６】図６は、被清掃面１３の上に払拭体２を接触させた状態における本発明の一実施形態にかかる清掃具１の外観斜視図である。
【図７】図７は、図６の清掃具１において、基板部３や手掌把握部５の外表面の凹凸を強調して示した外観斜視図である。
【図８】図８は、図７の清掃具１を四指側外表面９２の側から見た場合の外観斜視図である。
【図９】図９は、手指押圧部７０を親指１１で押圧する前の状態における本発明の一実施形態に係る清掃具１を示す部分拡大斜視図である。
【図１０】図１０は、手指押圧部７０を親指１１で押圧した状態における本発明の一実施形態に係る清掃具１を示す部分拡大斜視図である。
【図１１】図１１は、本発明の一実施形態に係る清掃具１の使用手順を示すフローチャートである。
【図１２】図１２は従来の、マウス型清掃具の断面図である。
【図１３】図１３は従来の、片手で把持するタイプの液体塗布器具を表す外観斜視図である。
【図１４】図１４は従来の、スプレー容器３２１を取り付けることのできるアイロン型清掃具の側面図である。
【図１５】図１５は従来の、洗車ブラシ型の清掃装置を示す分解外観斜視図である。
【図１６】図１６は従来の、旧式アイロン型の清掃装置の断面図である。
【発明を実施するための形態】
【００５８】
本発明に係る清掃具のいくつかの実施形態を、添付した図面を参照して詳細に説明する。
図１は、本発明の一実施形態であって手指押圧部７０が本清掃具１の上部に設けられた実施形態に係る清掃具１の鉛直断面模式図である。
清掃具１は、底板４と、底板４の上方を覆うように配置された片手で把握できる手掌把握部５と、底板４に取着された平面状の基板部３を有し、基板部３に清掃用の払拭体２を接合させた清掃具である。手掌把握部５を片手の手掌１０で把持して移動させながら、被清掃面１３を払拭体２で拭き掃除をするように用いる。
手掌把握部５は、本体部６と、本体部６に着脱自在に取着できる液体容器部８を有し、取着された液体容器部８の外表面は、手掌把握部５の外表面の一部を形成し、外観上一体化している。本体部６は液体輸送手段６２を有し、液体輸送手段６２は、液体容器部８に貯蔵された清掃用液体８２を払拭体２まで輸送して、毛細管現象により、或いは噴射により、払拭体２に浸透させる。
【００５９】
本体部６や液体容器部８などの手掌把握部５の各部材と底板４には、清掃時に、被清掃面１３の方向に向かって手掌把握部５に大きな圧力を加えながら拭き掃除をしても、変形も破損もしない、一定の硬度と厚みを有する素材、例えばＰＣ、ＡＢＳ等の合成樹脂材を使用することができる。
【００６０】
本体部６は更に、液体輸送手段６２による清掃用液体８２の輸送を制御する輸送制御手段７を備えてもよい。輸送制御手段７は手指押圧部７０、連結部７１、噴射バルブ７２を有し、底板４は底板開口部４０を有し、基板部３は基板開口部３０を有し、手指押圧部７０の押圧により連結部７１が押動して噴射バルブ７２が開き、噴射ノズル６６から清掃用液体８２を噴射して払拭体２に浸透させる。
【００６１】
手指押圧部受部６５が、本体側面部材６１又はアーチ型部材（表示せず）の外表面に凹設されている。棒状の連結部７１は、本体側面部材６１又はアーチ型部材（表示せず）の内部に穿設された貫通孔６７を貫通する。押圧時の連結部７１の移動は、連結部７１の一端側の略球状の突起部である手指押圧部７０が、手指押圧部受部６５に当接することにより、或いは噴射バルブ７２の可動範囲により、制限される。
【００６２】
手指押圧部７０は、本体部６においてアーチ型部材（表示せず）を境にして四指側に設けられ、手指押圧部７０の外表面は非押圧時において、四指側外表面上部９４の少なくとも一部を形成する。四指側外表面上部９４は、手指押圧部７０の外表面及び手指押圧部受部６５の外表面を除いて緩やかなドーム形状であるから、片手の親指１１と他の四指１２により手掌把握部５をしっかりと把持して拭き掃除をしながら容易に、他の四指１２の一つ、例えば人差し指で手指押圧部７０を押圧し、清掃用液体８２を払拭体２に浸透させることができ、かつ、その際つねに他方の片手は空いている。
【００６３】
液体輸送手段６２は輸送管６３を有し、液体容器部８は下部に液体出入口８１を有し、液体容器部８を本体部６に装着するときには、輸送管６３の一端を液体出入口８１に嵌合
する。輸送管６３の一端、又は液体出入口８１にはＯリング等のシール手段が装着され、嵌合時の液密状態を保つ。
輸送管６３、噴射ノズル６６、噴射バルブ７２は接着、係合、嵌合、螺着等の方法により底板４に固定されるか、或いは一体成形されたのち該方法により底板４に固定されるか、或いは底板４と一体成形される。
【００６４】
図２は、本発明の別の一実施形態であって手指押圧部７０が本清掃具１の側面部分、すなわち親指側外表面９０に設けられた実施形態に係る清掃具１の鉛直断面模式図である。図１に示した実施形態との違いは主に、手指押圧部７０を設ける位置の違いである。相違点を中心に説明する。
手指押圧部受部６５（表示せず）が、本体部６のアーチ型部材（表示せず）の親指側の外表面に凹設されている。親指１１で手指押圧部７０を押圧すると、連結部７１が押動して噴射バルブ７２が開き、噴射ノズル６６から清掃用液体８２を噴射或いは滴下して払拭体２に浸透させる。手指押圧部７０の外表面は非押圧時において、親指側外表面上部９４の少なくとも一部を形成する。
【００６５】
四指側外表面９２は、四指側外表面上部９４と四指側外表面側部９３からなる。四指側外表面上部９４は緩やかなドーム形状であり、親指側外表面９０（表示せず）は把握する際に親指１１をあてがう凹部９１（表示せず）を有し、手掌把握部５の外表面が片手で把握しやすい形状であるから、片手の親指１１と他の四指１２により手掌把握部５をしっかりと把持して、払拭体２により被清掃面１３の拭き掃除をしながら容易に、親指１１で手指押圧部７０を押圧し、清掃用液体８２を払拭体２に浸透させることができ、かつ、その際つねに他方の片手は空いている。
本実施例では、手指押圧部７０は凹部９１の近傍、例えば凹部の上側又は下側に設けることができる。
【００６６】
図３は、図２の本清掃具１において、液体容器部８を本体部６に着脱する方法、及び、液体輸送手段６２と輸送制御手段７について説明する分解斜視図である。
本体部６に設けられた液体輸送手段７は輸送管６３を有し、液体容器部８はその下部に液体出入口８１と係止部８３を有し、本体部６は係止受部６４を有し、取着するときには、輸送管６３の一端を液体出入口８１に圧入して嵌合し、係止部８３を係止受部６４に係合して、液体容器部８を本体部６に係止すると、液体容器部８の下面周縁部８４が本体側面部材６１の上面に密着し、液体容器部８の側面８５が本体部６のアーチ型部材６０の内側面６０ａに密着した状態で液体容器部８が本体部６に装着され、手掌把握部の他の部分と外観上一体化する。
【００６７】
液体輸送手段６２は輸送管６３と噴射ノズル６６を有する。底板４は底板開口部４０を有し、基板部３は基板開口部３０を有する。本体部６のアーチ型部材６０の親指側に手指押圧部７０が設けられている。手指押圧部７０の押圧により連結部７１が押動して噴射バルブ７２が開き、噴射ノズル６６から清掃用液体８２を噴射或いは滴下して、底板開口部４０及び基板開口部３０を通して払拭体２に浸透させる。
輸送制御手段７は、弾性手段７３を有してもよい。手指押圧部７０の押圧を解除したときは、弾性手段７３が手指押圧部７０と連結部７１を押動前の位置に復帰させ、噴射バルブ７２が閉じ、清掃用液体８２の払拭体２への輸送が止まる。
【００６８】
図４は、払拭体２として布体２０を用いた本発明の一実施形態に係る清掃具１を四指側外表面９２の側から見た分解斜視図である。各部材の表面に描かれた線は、部材の表面の凹凸を強調するための等高線等であり、素材の境界を示すものではない。（以下の図においても同じ。）
底板４には１つ以上の底板側嵌合手段４１が、基板３２には１つ以上の基板側嵌合手段
３１が設けられ、両手段の嵌合により、若しくは螺着又は接着により、若しくは嵌合と螺着又は接着との併用により、底板４と基板３２が接合される。
【００６９】
基板部３は、基板３２と基布３３からなる。基板３２と基布３３は、接着又は融着により接合される。基布３３には、接着、融着又は縫着により、係止ファスナー等の基布側接合手段３４が凸設されている。
払拭体２には、接着、融着又は縫着により、係止ファスナー等の払拭体側接合手段２２が凸設されている。
基布側接合手段３４と払拭体側接合手段２２からなる払拭体接合手段２３は、係止等の方法により、基板３２と払拭体２を接合する。払拭体接合手段２３が係止ファスナーからなる場合には、払拭体２は基板３２に着脱自在に接合されるから、払拭体２は容易に交換が可能である。しかし、接着や融着により、払拭体２を基板３２或いは基板部３に固着してもよい。
【００７０】
被清掃面１３が平坦ではなく凹凸を有する曲面である場合には、基板３２を可撓性を有する素材で構成すると、被清掃面１３の形状に基板部３２、及び払拭体２である布体２０の形状が追随するので、拭き掃除がし易い。
基板３２の下面はほぼ平坦であるが、上面は図４及び図５の略長円形の等高線が示すように、底板４との接合部からの距離に応じた凹凸を有してもよい。この凹凸に従って基板３２の厚みが変化するので、応力がかかると厚みが薄い部分はより曲がりやすくなる。基板３２の厚みが該等高線に従って場所によって変化していれば、清掃時に、基板全体としての強度を保ちながら、基板３２が凹凸のある被清掃面１３の形状により良く追随して撓むことができる。
【００７１】
略直方体形状のボタン型の手指押圧部７０はガイド用突起７０ａを有し、底板４上に設けられた手指押圧部受部６５はガイド用溝６５ａを有し、ガイド用突起７０ａはガイド用溝６５ａにはめ込まれており、押圧時には、ガイド用突起７０ａがガイド用溝６５ａに沿って移動しながら手指押圧部７０が押動する。
【００７２】
アーチ型部材６０は底板４及び手指押圧部受部６５に接合され、本体側面部材６１は底板４に接合されている。
取着された液体容器部８の外表面は四指側外表面上部９４を、本体側面部材６１の外表面は四指側外表面側部９３を、アーチ型部材６０の親指側の部分の外表面と手指押圧部７０及び手指押圧部受部６５の外表面は親指側外表面９０を構成する。四指側外表面上部９４と四指側外表面側部９３は四指側外表面９２を構成し、四指側外表面９２、親指側外表面９０、及びアーチ型部材６０の外表面のうち親指側の部分を除く部分は合わせて手掌把握部５の外表面を構成する。
【００７３】
図５は、払拭体２としてスポンジ体２１を用いた、本発明の一形態に係る清掃具１の分解斜視図である。図４との相違は、払拭体２が布体２０ではなくスポンジ体２１であること、及び四指側からではなく親指側から眺めた分解斜視図である点である。
被清掃面１３が平坦ではなく凹凸のある曲面である場合には、払拭体２としてスポンジ体２１を用いると、スポンジ体２１の下面の形状が被清掃面１３の形状に追随するので拭き掃除がし易い。
【００７４】
輸送管６３の底面には輸送管突起部６３ａが凸設され、底板４の上面には輸送管突起部受部４２が凸設され、輸送管突起部６３ａを輸送管突起部受部４２に圧嵌し、或いは接着することで輸送管６３を底板４に固定する。底板４に固定された係止受部６４には噴射バルブ７２と一対の輸送手段受部（図示せず）が設けられている。該輸送手段受部の一方には輸送管６３の水平部分が嵌合或いは接着により接合され、該輸送手段受部の他方には噴
射ノズル６６が嵌合或いは接着により接合されている。噴射バルブ７２が開であると、清掃用液体８２が輸送管６３の水平部分から噴射ノズル６６へと輸送されることができるが、噴射バルブ７２が閉であると、該輸送は行われない。
【００７５】
図６は、被清掃面１３の上に払拭体２を接触させた状態の、図４に示した本発明の実施形態にかかる清掃具１の外観斜視図である。
手掌把握部５において、手前のほぼ鉛直に切り立った崖状の親指側外表面９０には凹部９１が設けられ、片手で把持する際には親指を凹部９１にはめ込むように食い込ませ、四指側外表面９２に他の四指をあてがい、親指と四指で手掌把握部５を挟持する。手指押圧部７０は凹部９１の直下に設けられている。アーチ型部材６０の向こう側には液体容器部８が取り付けられて本体側面部材６１と外観上一体化し、液体容器部８の外表面は緩やかなドーム形状の四指側外表面上部９４を構成する。
本体部６の下側に位置する底板４（表示せず）には基板部３が接合され、基板部３には払拭体２が接合されている。手で手掌把握部５を移動させ、払拭体２により被清掃面１３の拭き掃除を行う。
【００７６】
図７は、図６の清掃具１において、基板部３や手掌把握部５の外表面の凹凸を線図により強調して示した外観斜視図であり、図８は、図７の清掃具１を四指側外表面９２の側から見た場合の同様な外観斜視図である。
四指側外表面上部９４は緩やかなドーム形状であるが、親指側外表面９０はほぼ垂直に切り立った崖状である。手掌把握部５の外表面は、前後方向（長手方向）に直交する左右方向（短手方向）に関して左右非対称であるが、前後方向に関して前後略対称であるから、必要ならば本清掃具１を被清掃面上で１８０度回転することにより、右手又は左手のいずれの片手で手掌把握部５を把持しようとも、親指を凹部９１にはめ込むようにあてがい、他の四指で四指側外表面９２を掴んで、しっかりと把持することができる。
【００７７】
四指側外表面９２には、前後一対の副凹部９９が設けられている。片手で手掌把握部５を把持する際、親指を凹部９１にはめ込むようにあてがい、他の四指の１本以上、例えば人差し指又は中指を前後一対の副凹部９９のうち、前側の副凹部９９にはめ込むようにあてがうことで、より確実に手掌把握部５を把握することができる。それゆえ、拭き掃除をしながら、手指押圧部７０を親指で押圧して清掃用液体８２を払拭体２に浸透させる操作を、清掃具１を把持した片手の手指のみで容易に行うことができ、該操作をしても常にもう一方の片手が空いている状態で拭き掃除を続けることができる。
副凹部９９は、本体部６の本体側面部材６１の外表面に凹設することができる。
【００７８】
図９は、手指押圧部７０を親指１１で押圧する前の状態における本発明の一実施形態に係る清掃具１を示す部分拡大斜視図である。図１０は、図９の清掃具１において、手指押圧部７０を親指１１で押圧した状態を示す部分拡大斜視図である。図１１は、本発明の一実施形態に係る清掃具１の使用手順を示すフローチャートである。
【００７９】
手掌把握部５を片手の親指１１と他の四指及び掌で把持し、必要ならば被清掃面１３の方向に向かって手で手掌把握部５に圧力を加えながら、手掌把握部５を移動させて、基板部３に接合された払拭体２により被清掃面１３の拭き掃除を行う。払拭体２に清掃用液体８２を浸透させたいときには、手指押圧部７０を親指１１で押圧する。
【００８０】
手指押圧部７０が押し込まれると、棒状の連結部７１が押動して噴射バルブ７２が開き、噴射ノズル６６から清掃用液体８２が噴霧され、清掃用液体８２が底板開口部４０及び基板開口部３０を通過して、払拭体２に浸透する。
押圧を解除すると、弾性手段７３が手指押圧部７０と連結部７１を押動前の位置に復帰させ、噴射バルブ７２が閉じ、清掃用液体８２の払拭体２への輸送が止まる。
【００８１】
本発明の別の一実施形態によれば、手指押圧部７０が押し込まれると、棒状の連結部７１が押動して噴射バルブ７２が開き、噴射ノズル６６から一定量の清掃用液体８２が噴霧され、清掃用液体８２が底板開口部４０及び基板開口部３０を通過して、払拭体２に浸透する。その後、噴射バルブ７２が閉じ、清掃用液体８２の払拭体２への輸送が止まる。
押圧を解除すると、弾性手段７３が手指押圧部７０と連結部７１を押動前の位置に復帰させる。
【００８２】
押圧により清掃用液体８２を払拭体２に浸透させる操作は、拭き掃除をしながら、清掃具１を把持した片手の手指のみで行うことができ、該操作をしても常にもう一方の片手が空いているので、被清掃面に落ちた異物を拾ったり物をどかしながらの清掃がし易い。
【００８３】
尚、本発明は上記実施形態に限定されるものではなく、本発明の技術的思想を逸脱しない範囲における種々変形例、設計変更などをその技術的範囲内に包含するものであることは云うまでもない。
【産業上の利用可能性】
【００８４】
本発明は、片手で把持して手で拭く感覚を損なわずに被清掃面の清掃ができ、清掃用液体を浸透させる機能を発揮させても常に片手が空くマウス型清掃具を提供することができる。本発明に係る清掃具は、例えば、清掃用品小売業界、家庭用清掃用品レンタル業界など多くの業界に利用できるものである。
【符号の説明】
【００８５】
１      清掃具
２      払拭体
３      基板部
４      底板
５      手掌把握部
６      本体部
７      輸送制御手段
８      液体容器部
９      手掌把握部の外表面
１０      手掌
１１      手指（親指）
１２      手指（四指）
１３      被清掃面
２０      布体
２１      スポンジ体
２２      払拭体側接合手段
２３      払拭体接合手段
３０      基板開口部
３１      基板側嵌合手段
３２      基板
３３      基布
３４      基布側接合手段
４０      底板開口部
４１      底板側嵌合手段
４２      輸送管突起部受部
６０      アーチ型部材
６０ａ    アーチ型部材の内側面
６１      本体側面部材
６２      液体輸送手段
６３      輸送管
６３ａ    輸送管突起部
６４      係止受部
６５      手指押圧部受部
６５ａ    ガイド用溝
６６      噴射ノズル
６７      貫通孔
７０      手指押圧部
７０ａ    ガイド用突起
７１      連結部
７２      噴射バルブ
７３      弾性手段
８１      液体出入口
８２      清掃用液体
８３      係止部
８４      液体容器部の下面周縁部
８５      液体容器部の側面
９０      親指側外表面
９１      凹部
９２      四指側外表面
９３      四指側外表面側部
９４      四指側外表面上部
９９      副凹部
【要約】
【課題】片手で把持して手で拭く感覚を損なわずに被清掃面の清掃ができ、清掃用液体を浸透させる機能を発揮させても常に片手が空くマウス型清掃具を提供する。
【解決手段】手掌把握部５の外表面９は左右非対称かつ前後略対称な形状を有し、四指側外表面上部９４は緩やかなドーム形状であり、親指側外表面９０は切り立った崖の形状であって把握する際に親指１１をあてがう凹部９１を有し、片手の親指１１と他の四指１２及び掌により手掌把握部５をしっかりと把持して拭き掃除をしながら容易に、親指１１で手指押圧部７０を押圧し、液体容器部８に貯蔵された清掃用液体８２を払拭体２に浸透させることができ、かつ、その際つねに他方の片手は空いている。
【選択図】図６【図１】
0005976243.tif 000002
【図２】
0005976243.tif 000003
【図３】
0005976243.tif 000004
【図４】
0005976243.tif 000005
【図５】
0005976243.tif 000006
【図６】
0005976243.tif 000007
【図７】
0005976243.tif 000008
【図８】
0005976243.tif 000009
【図９】
0005976243.tif 000010
【図１０】
0005976243.tif 000011
【図１１】
0005976243.tif 000012
【図１２】
0005976243.tif 000013
【図１３】
0005976243.tif 000014
【図１４】
0005976243.tif 000015
【図１５】
0005976243.tif 000016
【図１６】
0005976243.tif 000017